(57)【要約】【課題】外来ノイズがある場合でも、正規の要求信号を正しく判定できる通信システムと、これに用いる基地局及び携帯機器、ならびにこれらに用いる通信方法を提供する。【解決手段】基地局１０がダミー信号に続いて少なくともウェイクコード信号とバースト信号とを含む要求信号を携帯機器２０へ出力する。携帯機器２０のアンテナ切り替え部２２１が受信信号レベルの高いアンテナを選択し、復調部２２２が受信したＡＭ変調された要求信号をデジタル信号に復調し、ウェイクコード信号判定部２２３が復調されたデジタル信号と所定のコードと合致するかどうかを判定し、制御部２１がその判定結果に応じて、返答信号を基地局１０に送信する。【選択図】図１
2008211573.tif 000002
【特許請求の範囲】
【請求項１】
少なくともバースト信号と当該バースト信号に続く第１のコード信号を含む要求信号を送受信装置へ送信する基地局であって、
前記要求信号を前記送受信装置へ送信する送信部と、
前記送受信装置より前記要求信号に応じた返答信号を受信する受信部と、
前記要求信号を前記送信部へ出力するとともに、前記返答信号が前記受信部を介して入力される制御部と、を備え、
前記制御部が、前記要求信号とともに前記送受信装置をリセットするための第２のコード信号を出力し、前記送信部が前記第２のコード信号に続いて前記要求信号を前記送受信装置へ送信する基地局。
【請求項２】
請求項１記載の基地局であって、
前記制御部は、前記バースト信号の送信時間を、前記携帯端末における前記第１のコード信号の受信待ち時間であるタイムアウト時間よりも長くなるよう設定する基地局。
【請求項３】
請求項２記載の基地局であって、
前記制御部は、前記第２のコード信号におけるオフ状態から前記バースト信号の送信開始までの時間を、前記タイムアウト時間よりも短くするよう設定する基地局。
【請求項４】
請求項１から３のいずれか１項記載の基地局であって、
当該基地局は、前記送信部に接続され、互いに指向性の異なる第１の送信アンテナ及び第２の送信アンテナを有し、前記送信部は、前記第２の送信アンテナより前記第２のコード信号を送信した後、前記第１の送信アンテナより前記第２のコード信号及び前記要求信号を出力する基地局。
【請求項５】
少なくともバースト信号と当該バースト信号に続く第１のコード信号を含む要求信号を送信する基地局と、前記要求信号を受信し、受信モードを変更する送受信装置と、から構成される通信システムであって、
前記基地局は、前記送受信装置をリセットするための第２のコード信号と、当該第２のコード信号に続いて前記要求信号を前記送受信装置へ送信し、
前記バースト信号を受信するモードにセットされた前記送受信装置が、前記第２のコード信号のオフ状態の検出に基づき、前記第１のコード信号を受信するモードに移行し、前記第１のコード信号の受信待ち時間であるタイムアウト時間の経過後に、前記バースト信号を受信するモードに移行する、
通信システム。
【請求項６】
請求項５記載の通信システムであって、
前記基地局は、前記前記バースト信号の送信時間を、前記携帯端末における前記第１のコード信号の受信待ち時間であるタイムアウト時間よりも長くなるよう設定する基地局。
【請求項７】
基地局と送受信装置の間で通信を行う通信方法であって、
前記基地局が、
前記送受信装置の受信モードをリセットするための第２のコード信号と、当該第２のコード信号に続いて少なくともバースト信号と当該バースト信号に続く第１のコード信号とを含む要求信号を前記送受信装置へ送信するステップを実行し、
前記送受信装置が、
前記第２のコード信号を受信するステップと、
前記第２のコード信号のオフ状態を検出するステップと、
前記第２のコード信号のオフ状態を検出した後、前記バースト信号を受信するモードに移行するステップと、
前記バースト信号を受信するモードへ移行後、前記第１のコード信号の受信待ち時間であるタイムアウト時間の経過後に、前記バースト信号を受信するモードに移行するステップと、を実行する通信方法。
【発明の詳細な説明】
【技術分野】
【０００１】
本発明は、基地局と送受信装置との間で通信する通信システムと、これに用いる基地局ならびにこれらに用いる通信方法に関するものである。
【背景技術】
【０００２】
最近、車両に取付けられた基地局と運転者が持つ送受信装置としての携帯機器（キー）の間での情報のやりとりによって、自動的に車両のドアを開けたりエンジンを起動したりするように制御する通信システムを搭載する車両が増えつつある。このような車両に搭載している通信システムは、車に設けられた基地局と、運転者が持つ携帯機器の間での情報のやり取りに際し、基本的にまずバースト信号により、携帯機器が起動準備に入り、その後ウェイクコード信号が判別されると、本格的に起動する。
【０００３】
このような通信システムとして、例えば、特許文献１に開示されたシステムがあり、このシステムは、非認定者が車両のエンジンを起動するのを防ぐものである。当該通信システムにおいては、車内にある制御装置は、車内の起動ボタンが押されると問い合わせ信号（要求信号）を送信し、次に認定者が持つ遠隔制御装置が送信する識別コード・グループをチェックする。識別コード・グループが所定のコード・グループと一致するときだけ、通信システムはエンジンの起動を許可する。また、遠隔制御装置の受信アンテナに接続する信号検出器はハイ値とロー値に切り替わる反応しきい値レベルを有する。この信号検出器は、問い合わせ信号レベルが所定の反応しきい値より高いときだけ問い合わせ信号を中継して次の処理段階に送る。
【特許文献１】特開２００１−３５４１１７号公報
【発明の開示】
【発明が解決しようとする課題】
【０００４】
しかしながら、従来の通信システムにおいては、携帯機器は常時要求信号の有無を監視し、要求信号の受信を開始すると、要求信号に含まれるバースト信号を判定する。バースト信号の判定後、携帯機器は起動を準備し、ウェイクコードを受信するモードに入ることになっている。従って、携帯機器が外来ノイズをバースト信号と誤信した場合、ウェイクコードを受信するモードに入ってしまい、その後に正規のバースト信号を受信しても当該バースト信号をうまく判定できないという問題があった。
【０００５】
本発明は、従来の問題を解決するためになされたもので、外来ノイズがある場合でも、正規の要求信号を正しく判定できる通信システムを提供するとともに、これに用いる基地局ならびにこれらに用いる通信方法を提供することを目的とする。
【課題を解決するための手段】
【０００６】
本発明の基地局は、少なくともバースト信号と当該バースト信号に続く第１のコード信号を含む要求信号を送受信装置へ送信する基地局であって、前記要求信号を前記送受信装置へ送信する送信部と、前記送受信装置より前記要求信号に応じた返答信号を受信する受信部と、前記要求信号を前記送信部へ出力するとともに、前記返答信号が前記受信部を介して入力される制御部と、を備え、前記制御部が、前記要求信号とともに前記送受信装置をリセットするための第２のコード信号を出力し、前記送信部が前記第２のコード信号に続いて前記要求信号を前記送受信装置へ送信する。
【０００７】
この構成により、携帯端末が連続したノイズ信号を受信している場合でも、正規の要求信号を正しく判定でき、良好な受信結果を得ることができる。すなわち、携帯端末が不用意にウェイクアップしてしまうのを防ぎ、携帯端末のノイズタフネスを向上させることができる。
【０００８】
また、本発明の基地局においては、前記制御部は、前記バースト信号の送信時間を、前記携帯端末における前記第１のコード信号の受信待ち時間であるタイムアウト時間よりも長くなるよう設定する。
【０００９】
この構成により、タイムアウト時間内に要求信号に含まれているバースト信号を送信することにより、携帯端末はバースト信号を正しく判定することができ、良好な受信結果を得ることができる。
【００１０】
さらに、本発明の基地局おいては、前記制御部は、前記第２のコード信号におけるオフ状態から前記バースト信号の送信開始までの時間を、前記タイムアウト時間よりも短くするよう設定する。
【００１１】
この構成により、タイムアウト時間内に必ずバースト信号の送信が開始されることとなる。
【００１２】
さらに、本発明の基地局は、前記送信部に接続され、互いに指向性の異なる第１の送信アンテナ及び第２の送信アンテナを有し、前記送信部は、前記第２の送信アンテナより第２の第２のコード信号を送信した後、前記第１の送信アンテナより第１の第２のコード信号及び前記要求信号を出力する。
【００１３】
この構成により、基地局が複数の送信アンテナから第２のコード信号を送信した後、バースト信号を送信することで、良好な受信結果を得る可能性をさらに高くすることができる。
【００１４】
また、本発明の通信システムは、バースト信号と当該バースト信号に続く第１のコード信号を含む要求信号を送信する基地局と、前記要求信号を受信し、受信モードを変更する送受信装置と、から構成される通信システムであって、前記基地局は、前記送受信装置の受信モードをリセットするための第２のコード信号と、当該第２のコード信号に続いて前記要求信号を前記送受信装置へ送信し、前記バースト信号を受信するモードにセットされた前記送受信装置が、前記第２のコード信号のオフ状態の検出に基づき、前記第１のコード信号を受信するモードに移行し、前記第１のコード信号の受信待ち時間であるタイムアウト時間の経過後に、前記バースト信号を受信するモードに移行する。
【００１５】
この構成により、連続したノイズ信号を受信している場合でも、正規の要求信号を正しく判定でき、良好な受信結果を得ることができる。
【００１６】
また、通信システムにおいて、前記基地局は、前記前記バースト信号の送信時間を、前記携帯端末における前記第１のコード信号の受信待ち時間であるタイムアウト時間よりも長くなるよう設定する。
【００１７】
この構成により、タイムアウト時間内に要求信号に含まれているバースト信号を送信することにより、携帯端末はバースト信号を正しく判定することができ、良好な受信結果を得ることができる。
【００１８】
本発明の通信方法は、基地局と送受信装置の間で通信を行う通信方法であって、前記基地局が、前記送受信装置の受信モードをリセットするための第２のコード信号と、当該第２のコード信号に続いて少なくとも第１のコード信号と当該第１のコード信号に先立つバースト信号とを含む要求信号を前記送受信装置へ送信するステップを実行し、前記送受信装置が、前記第２のコード信号を受信するステップと、前記第２のコード信号のオフ状態を検出するステップと、前記第２のコード信号のオフ状態を検出した後、前記バースト信号を受信するモードに移行するステップと、前記バースト信号を受信するモードへ移行後、前記第１のコード信号の受信待ち時間であるタイムアウト時間の経過後に、前記バースト信号を受信するモードに移行するステップと、を実行する。
【００１９】
この通信方法により、携帯端末が連続したノイズ信号を受信している場合でも、正規の要求信号を正しく判定でき、良好な受信結果を得ることができる。
【発明の効果】
【００２０】
本発明は、外来ノイズがある場合でも、正規の要求信号を正しく判定できる通信システムこれに用いる基地局、ならびにこれらに用いる通信方法を提供する。
【発明を実施するための最良の形態】
【００２１】
以下、本発明の実施形態の通信システムについて、図面を用いて説明する。
【００２２】
（第１の実施形態）
本発明の第１の実施形態の通信システムを図１に示す。
【００２３】
図１において、通信システム１は、車両に設けられた基地局１０と、運転者が持つ携帯機器２０とを有する構成である。また、この通信システム１に対する外来ノイズ源として、ノイズ源３０が通信システム１の近傍に存在する。携帯機器２０には例えば車両のキーなどがあるが、とくに具体例は限定されない。また、本例では、基地局１０の通信の相手方は携帯機器であるが、携帯機器には限定されず、一般的な送受信装置でよい。
【００２４】
基地局１０は、制御部１１と、制御部１１に接続された送信部１２と受信部１５とを有する。送信部１２はループコイルで形成された第一の送信アンテナ１３と第二の送信アンテナ１４に接続されている。図において、第一の送信アンテナ１３はコイルが左右方向に巻かれ、第二の送信アンテナ１４はコイルが紙面に垂直方向に巻かれている。これは二つの送信アンテナの指向性、特に通信相手の携帯機器２０に対する相対的な指向性が異なることを示している。ただし、二つの送信アンテナの携帯機器２０に対する相対的な指向性は、アンテナの設置場所が違えば異なることとなるため、コイルの巻き方を異ならせることは必須ではなく、互いの指向性が異なればよい。また、本実施形態では指向性の違いは必須ではない。
【００２５】
携帯機器２０との通信を行う場合、基地局１０は、ウェイクコード信号とバースト信号とを含み、携帯機器２０からの回答を要求する要求信号を送信アンテナ１３もしくは１４から出力する。なお、ここでは説明の便宜上、２つのアンテナを用いて説明するが、実際にはアンテナを３個以上用いても良い。
【００２６】
受信部１５は受信アンテナ１６と接続され、この受信アンテナ１６を介して携帯機器２０からの信号を受信する。
【００２７】
後述するように、制御部１１は、少なくともバースト信号及び当該バースト信号に続くウェイクコード信号を含む要求信号をダミー信号に続いて送信部１２及び送信アンテナ１３もしくは１４を介して出力するように制御する。当該要求信号は、基地局１０が携帯端末２０を認証するための信号であり、携帯端末２０は要求信号のウェイクコード信号の内容に応じて、種々の異なるモードに移行する。また、基地局１０からの判定結果を受信部１５と受信部１５に接続された受信アンテナ１６を用いて受信し、その結果に応じてその後の制御を変える。
【００２８】
バースト信号は、電源がオンとなっているが受信部２２は特に動作していない、いわばスリープモード（待ち受け状態）にある携帯機器２０の回路動作、特に受信部２２を起動するための信号であり、携帯機器２０を動作モードに移行させるものである。バースト信号はコードを含まず、何ら変調されていない。バースト信号は例えば２ｍｓ以上の連続したオン信号より構成され、電磁誘導などの作用により受信部２２を構成する回路に起動電力を発生させるものであるが、特にその形式は限定されない。
【００２９】
ウェイクコード信号は、バースト信号の後に発信される信号であり、意味のあるコードを含み、第１のコード信号を構成する。バースト信号とウェイクコード信号により、携帯機器２からの何らかの回答を要求する要求信号が構成される。ウェイクコード信号は、例えば１５０μｓのオン信号が“ｂｉｔ０”、３００μｓのオン信号が“ｂｉｔ１”を示すという信号から構成される。携帯機器２０の受信部２２は、ウェイクコード信号のコードの意味を判定し、その後の動作の継続の可否を決定する。すなわち、ウェイクコード信号は受信部２２の判定動作を開始させる信号である。本例では、ウェイクコード信号は１２５ｋＨｚ帯のＡＭ変調された信号よりなるが、周波数帯、変調方式は特に限定されるものではない。
【００３０】
ダミー信号は、本発明では携帯機器２０の受信部２２が、バースト信号の中断待ちの状態にあるのを解除し、結果的に受信部２２、携帯機器２０の動作をリセットする役割を果たす。ダミー信号は“ｂｉｔ０”、“ｂｉｔ１”を区別する必要がないため、意味のないコードを含み、第２のコード信号を構成する。本例では、ウェイクコード信号と同様、ダミー信号も例えば１２５ｋＨｚ帯のＡＭ変調された信号よりなるが、周波数帯、変調方式は特に限定されるものではない。また、１ｂｉｔのみからなる信号、連続した長い信号（複数ビットの信号）、連続した長い信号の複数の組合せからなる信号もここでのダミー信号に含まれ得るが、後述するように必ず「オフ」を示す状態を含む（図２（ｄ）のＡ及びＢ）。
【００３１】
一方、携帯機器２０は制御部２１と、受信部２２と、受信部２２に接続された受信アンテナ２３及び受信アンテナ２４と、送信部２５と、送信部２５に接続されたアンテナ２６とを有する。
【００３２】
基地局１０の送信アンテナ１３もしくはアンテナ１４から送信された要求信号は、受信アンテナ２３及び２４で受信する。受信アンテナ２３及び２４はループコイルで形成されており、要求信号を受信すると受信した電界強度に応じて誘起電圧が発生し受信部２２に入力される。受信アンテナ２３及び２４の指向性も、第一の送信アンテナ１３と第二の送信アンテナ１４と同様異なったものとなっているが、本実施形態では必須ではない。
【００３３】
受信部２２は、受信信号レベルに応じて受信アンテナ２３もしくは２４の何れかを有効にするアンテナ切り替え部２２１と、受信したＡＭ変調された要求信号をデジタル信号に復調する復調部２２２と、復調部２２２で復調されたデジタル信号と所定のコードと合致するかどうかを判定し、合致した場合は判定結果通知信号を制御部２１に送信するウェイクコード信号判定部２２３とを有する。
【００３４】
制御部２１は、ウェイクコード信号判定部２２３からの判定結果通知信号に応じて、送信部２５及び送信部２５に接続された送信アンテナ２６を介して、例えば、３００ＭＨｚ帯の電波を用いて返答信号を基地局１０に送信する。
【００３５】
図２は本実施の形態における要求信号及びノイズ源３０からのノイズ信号の波形であり、ここでは携帯機器２０の受信アンテナ２３，２４の受信波形として説明する。
【００３６】
図２において、（ａ）は本実施の形態におけるダミー信号を加えた場合の要求信号Ｓ１を受信した時の誘起電圧波形を示す図であり、（ｂ）はノイズ信号Ｓ２を受信した時のノイズ波形の一例を示す図であり、（ｃ）、（ｄ）はそれぞれ、ノイズ環境下（Ｓ２の受信下）で要求信号Ｓ１を受信した時の受信アンテナ２３及び２４の誘起電圧波形Ｓ３とＳ４を示す図である。
【００３７】
また、（ｅ）は本実施の形態の（ａ）とは異なり、ダミー信号を加えなかった場合の要求信号Ｓ５を受信した時の誘起電圧波形を示す図であり、（ｆ）、（ｇ）は、（ｂ）に示されたノイズ信号と（ｅ）に示された要求信号Ｓ５のみを受信した時の受信アンテナ２３及び２４の誘起電圧波形Ｓ６とＳ７を示す図である。
【００３８】
図２（ｄ）で示されているｔ１はバースト信号５１ｇの送信時間（バースト信号送信時間）であり、ｔ３はバースト信号の中断後、携帯端末２２が基地局１０からウェイクコード信号を受信するまで、ウェイクコード信号の受信を待ちつづける時間（ウェイクコード信号受信タイムアウト時間）であり、予め携帯機器２０に登録されている。ｔ４は、ダミー信号５６ｇの最初のオフ状態Ａの時点から（複数のオフ状態がある場合は最初のオフ状態）バースト信号５１ｇの送信開始までの時間であり、ウェイクコード信号受信タイムアウト時間ｔ３より短い（ｔ４＜ｔ３）。
【００３９】
ｔ２はウェイクコード信号５２ｇの送信時間（ウェイクコード信号送信時間）である。また、ｔ５はウェイクコード信号受信タイムアウト時間ｔ３の経過後、バースト信号５１ｇが送信される時間である。本例ではｔ２＜ｔ３＜ｔ１の関係が成立している。また、図２（ａ）〜図２（ｄ）で表されたＡ，Ｂは、ダミー信号のオフ状態を示す。ｔ５の長さは任意であるが、少なくともｔ５は存在しなくてはならず、ｔ５＞０である。
【００４０】
図３（ａ）は、図２における要求信号の波形を拡大して示すものであり、１２５ｋＨの変調信号である。一方、図３（ｂ）が、図２におけるノイズの波形を拡大して示すものであり、周波数不定のランダム信号である。
【００４１】
ここで、例えば、図１において、受信アンテナ２３は送信アンテナ１３と対向するような配置になっており、受信アンテナ２４はノイズ源３０と対向するような配置になっている。従って、受信アンテナ２３で（ａ）に示された要求信号Ｓ１を受信した時の誘起電圧５１ｆ、５１ｈは受信アンテナ２４で受信した時の誘起電圧５１ｇ、５１ｉより大きい。逆に（ｂ）に示されたノイズ信号Ｓ２を受信アンテナ２３で受信した時の誘起電圧５４ｆ、５４ｈは受信アンテナ２４で受信した時の誘起電圧５４ｇ、５４ｉより小さい。受信部２２が（ｂ）に示されたようなノイズ環境下で、（ｅ）に示されたダミー信号５６を加えなかった場合の要求信号Ｓ５を受信した場合、受信部２２はノイズをバースト信号として処理を開始するが、ノイズ受信時は受信アンテナ２３の信号レベル５４ｆより受信アンテナ２４の信号レベル５４ｇの方が大きいので、受信アンテナ２４を選択する。
【００４２】
その後、バースト信号中断の検出処理に移行するが、（ｇ）に示すように、信号５４ｉで処理を開始した後、信号５１ｉではレベルが上昇するのみでバースト信号の中断検出ができないため、バースト信号５１ｉの終了がバースト中断として処理される。 その後、ウェイクコード受信判定を実施するが、受信アンテナは２４が選択されたままなので、（ｇ）に示された誘起電圧波形のウェイクコード信号５２ｉを判定することになり、Ｓ／Ｎ比が悪く、受信エラーが発生する可能性が高いという問題がある。
【００４３】
そこで、本実施の形態では要求信号Ｓ１に示すように、基地局１０は、送信アンテナ１３もしくは１４からダミー信号５６ｅを送信した後、バースト信号５１ｅ、ウェイクコード信号５２ｅ、コード信号５３ｅの順で携帯機器２０に送信するような構成としたものである。
【００４４】
携帯機器２０が要求信号Ｓ１とノイズ信号Ｓ２とを受信した時、受信アンテナ２３及び２４の誘起電圧波形はそれぞれ（ｃ）、（ｄ）のようになる。
【００４５】
受信部２２はノイズ信号Ｓ２を受信し、当該ノイズ信号をバースト信号とみなして動作を開始するが（バースト信号の受信開始；バースト信号の受信モード）、この時、受信アンテナ２３の信号レベル５４ｆより受信アンテナ２４の信号レベル５４ｇの方が大きいので、受信アンテナ２４が選択される。
【００４６】
その後、受信部２２はバースト信号中断の検出処理に移行する。ここで、受信部２２はノイズ信号をバースト信号とみなしているため、ダミー信号５６ｇのオフを検出するとバースト信号の中断と判定し、ウェイクコード信号受信処理（ウェイクコード信号の受信モード）に移行し、オフ状態検出後のダミー信号５６ｇ及びバースト信号５１ｇに対してウェイクコード信号の判定を行う。本例では、ダミー信号のオフ状態は図２（ａ）〜（ｄ）に示すように二つ存在するが、最初のＡのオフ状態からウェイクコード信号の受信待ち時間であるウェイクコード信号受信タイムアウト時間ｔ３のカウントを開始する。そして、ｔ４＜ｔ３のため、ウェイクコード信号受信タイムアウト時間ｔ３のカウント途中からバースト信号５１ｇが送出される。
【００４７】
バースト信号５１ｇの送信時間ｔ１の途中において、ウェイクコード信号受信タイムアウト時間ｔ３が満了する。従って、受信部２２はバースト信号５１ｇの途中でウェイクコード信号判定処理を中断し、バースト信号受信待ちに戻り、再度動作を開始する（バースト信号の受信モードへの再移行）。ダミー信号５６ｇのオフを契機としてタイムアウト時間がカウントされるため、ダミー信号５６ｇは携帯機器２０の受信モードをリセットする役割を果たす。
【００４８】
この時、受信アンテナ２３の信号レベル５１ｆは受信アンテナ２４の信号レベル５１ｇより大きいので、受信アンテナ２３が選択され、バースト信号５１ｆ終了後、（ｃ）に示された誘起電圧波形のウェイクコード信号５２ｆを判定する（ウェイクコード信号の受信モード）。この時のウェイクコード信号は送信アンテナ１３もしくは１４からの信号レベルが高く、Ｓ／Ｎ比も高くなるため、（ｄ）に示された誘起電圧波形のウェイクコード信号５２ｇより良好な受信結果が得られる。
【００４９】
以上のように構成された通信システムについて、図４を用いてその動作を説明する。
【００５０】
まず、携帯機器２０は、バースト信号待ち受け状態で待機する（ステップＳ３０１）。 ここで、携帯機器２０の受信部２２が基地局１０からの要求信号があるかを判断し、基地局１０からの要求信号がないと判定した場合（ステップＳ３０１；ＮＯ）、ステップＳ３０１を繰り返し実行し、基地局１０からの要求信号を待つ。
【００５１】
一方、ステップＳ３０１において、受信部２２が基地局１０からの要求信号を受信したと判定した場合（ステップＳ３０１；ＹＥＳ）、バースト信号の受信を開始する（ステップＳ３０２）。ここで、最初の判定では、図２（ｄ）に示されたノイズ信号Ｓ４の最初の５４ｇの部分は図２（ｃ）に示された要求信号Ｓ３の最初の５４ｆの部分より信号レベルが高いので、携帯機器２０はこの５４ｇの部分をバースト信号として判定し、バースト信号の受信を開始する。
【００５２】
受信部２２にはＡＧＣ（自動ゲイン制御：Automatic Gain Control）回路が含まれており、受信部２２のアンテナ切り換え部２２１は、受信アンテナ２３と受信アンテナ２４とを切り換え、それぞれの信号レベルを検出し、信号レベルの高い方のアンテナを選択する（ステップＳ３０３）。ここでは、上述したように最初のバースト信号の受信は、レベルが比較的に高いノイズ信号に対して受信したので、このノイズ信号を受信する受信アンテナ２４を選択する。
【００５３】
その後、受信部２２はバースト信号が中断したかを判断し（ステップＳ３０４）、バースト信号が中断していないと判定した場合（ステップＳ３０４；ＮＯ）、ステップＳ３０４を繰り返し実行し、バースト信号の中断を待つ。
【００５４】
一方、ステップＳ３０４において、バースト信号が中断したと判定した場合、受信部２２がバースト信号に続いて入力された要求信号のうちの前半部分であるウェイクコード信号を受信する（ステップＳ３０５）。ここで、アンテナ切り換え部２２１が受信アンテナの選択を行った後、バースト信号中断の検出処理に移行し、ダミー信号５６ｇのオフを検出してウェイクコード信号受信処理に移行し、ダミー信号５６ｇ及びバースト信号５１ｇに対してウェイクコード信号の判定を行う。
【００５５】
続いて、ウェイクコード信号判定部２２３がウェイクコード信号の受信が完了したかを判断し（ステップＳ３０６）、ウェイクコード信号の受信が完了していないと判定した場合（ステップＳ３０６；ＮＯ）、所定のタイムアウト時間を経過したかを判断し（ステップＳ３０７）、所定のタイムアウト時間を経過していないと判定した場合（ステップＳ３０７；ＮＯ）、ステップＳ３０５に戻り、引き続きウェイクコード信号を受信する。
【００５６】
一方、ステップＳ３０７において、ウェイクコード信号判定部２２３が所定のタイムアウト時間を経過したと判定した場合（ステップＳ３０７；ＹＥＳ）、所定のタイムアウト時間を経過しても受信が完了できなく、受信エラーと判定してステップＳ３０１に戻り、バースト信号待ち受け状態で待機する。ここで、バースト信号５１ｅの送信時間ｔ１はウェイクコード信号受信タイムアウト時間ｔ３より長いので、バースト信号５１ｅの途中でウェイクコード信号判定処理（ステップＳ３０５〜ステップＳ３０７）を中断し、バースト信号受信待ち（ステップＳ３０１）に戻り、再度動作を開始する。
【００５７】
再度ステップＳ３０１に戻った場合、基地局１０から図（ａ）に示されたダミー信号を加えた場合の要求信号Ｓ１が送信されるので、この時受信されるのは、この要求信号に含まれているバースト信号の部分である。
【００５８】
この時、ステップＳ３０１で基地局１０からの要求信号を受信したと判定すると（ステップＳ３０１；ＹＥＳ）、バースト信号の受信を開始し（ステップＳ３０２）、受信部２２のアンテナ切り換え部２２１はバースト信号期間５１の間に受信アンテナ２３と受信アンテナ２４とを切り換え、それぞれの信号レベルを検出し、信号レベルの高い方のアンテナを選択する（ステップＳ３０３）。ここで、受信アンテナ２３は送信アンテナ１３と対向するような配置になっており、受信アンテナ２４はノイズ源３０と対向するような配置になっているので、受信アンテナ２３は基地局１０からのバースト信号を主に受信し、受信アンテナ２４はノイズ源３０からのノイズ信号を主に受信する状況にある。すなわち、受信アンテナ２３の誘起電圧は５１ｆとなり、受信アンテナ２４の誘起電圧は５１ｇとなる。受信アンテナ２３の信号レベル５１ｆは受信アンテナ２４の信号レベル５１ｇより高いので、アンテナ切り換え部２２１は受信アンテナ２３を選択する。
【００５９】
その後、受信部２２はバースト信号が中断したかを判断し（ステップＳ３０４）、バースト信号が中断していないと判定した場合（ステップＳ３０４；ＮＯ）、ステップＳ３０４を繰り返し実行し、バースト信号の中断を待つ。
【００６０】
一方、ステップＳ３０４において、受信部２２がバースト信号が中断したと判定した場合（ステップＳ３０４；ＹＥＳ）、受信部２２はバースト信号に続いて入力された要求信号のうちの前半部分であるウェイクコード信号を受信する（ステップＳ３０５）。ここで、ウェイクコード５２ｆを復調部２２２がＩ／Ｏのビットデータ列に変換し、ウェイクコード信号判定部２２３がウェイクコード５２ｆを判定する。 本実施形態では、短いパルス（例えば０．５ｍｓ以下）をビット０、長いパルス（例えば０．５ｍｓ以上）をビット１と判定している。
【００６１】
ウェイクコード信号判定部２２３がウェイクコード信号の受信が完了したかを判断し（ステップＳ３０６）、ウェイクコード信号の受信が完了していないと判定した場合（ステップＳ３０６；ＮＯ）、所定のタイムアウト時間を経過したかを判断し（ステップＳ３０７）、所定のタイムアウト時間を経過していないと判定した場合（ステップＳ３０７；ＮＯ）、ステップＳ３０５に戻り、引き続きウェイクコード信号を受信する。
【００６２】
一方、ステップＳ３０７において、ウェイクコード信号判定部２２３が所定のタイムアウト時間を経過したと判定した場合（ステップＳ３０７；ＹＥＳ）、所定のタイムアウト時間を経過しても受信が完了できなく、受信エラーと判定してステップＳ３０１に戻り、バースト信号待ち受け状態で待機する。
【００６３】
また、ステップＳ３０６において、ウェイクコード信号判定部２２３が所定のビット数を受信したと判定した場合（ステップＳ３０６；ＹＥＳ）、ウェイクコード信号の受信が完了したとみなし、ウェイクコード信号判定部２２３は受信したウェイクコードが正規のコードであるかを判断し（ステップＳ３０８）、受信したウェイクコードが正規のコードではないと判定した場合（ステップＳ３０８；ＮＯ）、ステップＳ３０１に戻り、バースト信号待ち受け状態で待機する。
【００６４】
一方、ステップＳ３０８において、受信したウェイクコードが正規のコードであると判定した場合（ステップＳ３０８；ＹＥＳ）、ウェイクコード信号判定部２２３が判定結果を制御部２１に通知し（ステップＳ３０９）、制御部２１は、信号受信を契機に駆動を開始し、ウェイクコード信号５２ｆの後のコード信号５３ｆを受信判定し、判定結果に応じて送信部２５を介して基地局１０に返答信号を送信する（ステップＳ３１０）。そして、処理が終了する。
【００６５】
このように、本発明においては、携帯機器がノイズ信号をバースト信号と誤信して、ウェイクコードを受信するモードに入ってしまう場合を考慮し、ダミー信号を送信することにより携帯機器の受信をリセットする。そして、連続したノイズ信号を受信している場合でも、ダミー信号のオフ部分をバースト信号オフとして検出した後、基地局の送信アンテナから正規のバースト信号を送信している期間に、携帯機器においてＡＧＣ動作、アンテナ選択が行われるので、その後のコード信号受信時にＳ／Ｎ比のよいアンテナを選択でき、正規の要求信号を正しく判定でき、良好な受信結果を得ることができる。
【００６６】
また、本発明においては、バースト信号送信時間ｔ１をウェイクコード受信待ちタイムアウト時間ｔ３より長くすることとしている（ｔ３＜ｔ１）。従って、ノイズにより携帯機器２０の受信部２２が動作を開始しても、バースト信号送信時間ｔ１期間内にウェイクコード信号判定処理を一旦終了し、再度バースト信号受信を開始し、受信信号レベルの大きなアンテナを選択できるので、ノイズ環境下での誤動作を防止することができる。尚、図２では、バースト信号送信時間ｔ１の始点より、ウェイクコード受信待ちタイムアウト時間ｔ３の始点が先になっている。ただし、ウェイクコード信号のタイムアウト時間をカウントし始めるのは、正規のバースト信号の受信開始より必ず先であるため、バースト信号送信時間ｔ１をウェイクコード受信待ちタイムアウト時間ｔ３より長くすることにより、正規のバースト信号の受信の途中で、必ずタイムアウトが生ずることとなる。
【００６７】
なお、上述した説明では、基地局１０側に送信アンテナを２つ用いる例を説明したが、本実施の形態では、基地局１０側に２つの送信アンテナを用いることは必須ではなく、１つの送信アンテナでも同様な効果を得ることができる。
【００６８】
また、上述した説明では、バースト信号の長さを長くした例を説明したが、本実施の形態では、これは必須ではなく、短いバースト信号でも同様な効果を得ることができる。
【００６９】
（第２の実施形態）
次に、本発明の第２の実施形態の通信システムについて説明する。
【００７０】
本実施形態においては、基地局１０の送信部１２に複数の送信アンテナ１３，１４を設け、制御部１１は、第２の送信アンテナより第２のダミー信号送信に続き、第１の送信アンテナより第１のダミー信号及び、要求信号を出力する。
【００７１】
本実施形態の通信システムの構成は、図１に示す第１の実施形態と同様であり、その説明を省略する。
【００７２】
図５は、本実施の形態における要求信号及びノイズの波形であり、ここでは図２と同様に受信アンテナの受信波形として説明する。
【００７３】
図５において、（ａ）、（ｂ）、（ｃ）、（ｄ）は図２の（ａ）、（ｂ）、（ｃ）、（ｄ）に対応する。本例においては、ノイズ源３０が送信アンテナ２６に近接しており、図５（ｂ）に示されたノイズは、図２（ｂ）で説明したノイズよりも大きい。すなわち、本例は、ノイズ信号５４ｋが存在するノイズ環境下で要求信号を受信した時の受信アンテナ２４の誘起電圧波形図５（ｄ）の後半部では要求信号がノイズに埋もれ、オン／オフの判別がつかないような例である。また、受信アンテナ２４は、受信アンテナ２３に比べ、第一の送信アンテナ１３に対する相対的な指向性は低く、第一の送信アンテナ１３が発信するダミー信号５６の感度は低い。
【００７４】
また、図５（ｅ）に示す信号Ｓ５は、送信アンテナ１３からの図５（ａ）に示された要求信号Ｓ１送信に先立って、送信アンテナ１４から送信されたダミー信号である。
【００７５】
受信部２２が図５（ｂ）に示されたようなノイズ環境下に置かれた場合、受信部２２のアンテナ切り換え部２２１は誘起電圧の高いアンテナ２４を選択し、受信部２２はノイズをバースト信号として処理を開始する。
【００７６】
もし、図５（ｅ）に示すダミー信号Ｓ５がない場合、ノイズ信号５４ｋのレベルが高く、ダミー信号５６ｋとのレベルにあまり差がないため、ダミー信号５６ｋのオン／オフの判別が難しく、受信部２２がダミー信号５６ｋのオフ状態を検出できない場合がある。この場合、ウェイクコード信号受信処理に移行することは不能となり、携帯端末２０は適切な動作ができなくなる。
【００７７】
そこで本実施形態ではダミー信号５６ｋに先だち、受信アンテナ２４に対する嗜好性の高い第二の送信アンテナ１３から、ダミー信号５７ｋを送信する。そして、受信部２２は、受信アンテナ２４が受信したダミー信号５７ｋのオフを検出してウェイクコード信号受信処理に移行し、ダミー信号５６ｋ及びバースト信号５１ｋに対してウェイクコード信号の判定を行う。そして、受信部２２はバースト信号５１ｋの途中でウェイクコード信号判定処理を中断し、バースト信号受信待ちに戻り、再度動作を開始する。
【００７８】
この時の、受信アンテナ２３の信号レベル５１ｊは受信アンテナ２４の信号レベル５１ｋより大きいので、受信アンテナ２３が選択され、バースト信号５１ｊ終了後、誘起電圧波形（ｃ）のウェイクコード信号５２ｊを判定する。この時のウェイクコード信号は送信アンテナ１３からの信号レベルが高く、Ｓ／Ｎ比も高くなるため、誘起電圧波形図２（ｄ）のウェイクコード信号５２ｋより良好な受信結果が得られる。
【００７９】
本実施形態の処理の動作は、図４に示す第１の実施形態と同様であり、その説明を省略する。
【００８０】
このように、基地局が複数の指向性の異なる送信アンテナの各々からダミー信号を送信した後、バースト信号を送信することで、良好な受信結果を得る可能性がさらに高くなる。
【００８１】
本発明は、例えば車両用遠隔制御装置など、外来ノイズの影響を受けやすい基地局と携帯機器との通信システムに有用であるが、特に応用例は限定されるものではない。
【００８２】
本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００８３】
以上のように、本発明にかかる通信システムと、これに用いる基地局、通信方法によれば、外来ノイズがある場合でも、携帯端末において正規の要求信号を正しく判定することを可能にする。
【図面の簡単な説明】
【００８４】
【図１】本発明の第１の実施形態の通信システムのブロック図
【図２】本発明の第１の実施形態における要求信号及びノイズの波形を示す図
【図３】図２における要求信号及びノイズ信号を拡大した様子を示す図
【図４】本発明の第１の実施形態における通信システムの携帯機器の動作を説明するためのフロー図
【図５】本発明の第２の実施形態における要求信号及びノイズの波形を示す図
【符号の説明】
【００８５】
１  通信システム
１０  基地局
１１，２１  制御部
１２，２５  送信部
１３，１４，２６  送信アンテナ
１５，２２  受信部
１６，２３，２４  受信アンテナ  
２０  携帯機器
３０  ノイズ源
２２１  アンテナ切り換え部
２２２  復調部
２２３  ウェイクコード信号判定部
【図１】
2008211573.tif 000003
【図３】
2008211573.tif 000004
【図４】
2008211573.tif 000005
【図２】
2008211573.tif 000006
【図５】
2008211573.tif 000007